(57)【要約】【課題】食品管理の品質、利便性を向上する。【解決手段】ユーザ１は、携帯電話２のリーダライタ機能を用いて食品３の食品用ＲＦタグ４の食品情報を読み取り保存する。冷蔵庫５に備えるＲＦタグ７に対して、携帯電話２のリーダライタ機能により、冷蔵庫５の更新された食品情報を読み込み、同時に携帯電話２で読み取った、追加する食品情報を書き込むようにすることで、携帯電話２で食品管理を行い管理したい食品を確実に管理し、食品管理の品質向上を図ると共に、利便性を向上させる。【選択図】図１
2009258947.tif 000002
【特許請求の範囲】
【請求項１】
貯蔵装置との間で無線通信を行う通信手段と、食品情報を記憶する記憶手段と、前記記憶手段に記憶された食品情報を記憶または更新する制御手段とを備えた携帯端末であって、前記通信手段が前記貯蔵装置から送信される食品情報を受信したとき、前記制御手段は前記貯蔵装置から受信した食品情報に基づいて前記記憶手段に記憶されている食品情報に対して更新して更新食品情報を作成し、
前記通信手段は前記更新食品情報を前記貯蔵装置に送信する携帯端末。
【請求項２】
表示手段を備え、管理している食品情報を前記表示手段に表示する請求項１記載の携帯端末。
【請求項３】
貯蔵装置は食品用ＲＦタグから食品情報を収集するリーダライタ手段と、食品情報を記憶する第２の記憶手段を備え、
前記貯蔵装置は食品用ＲＦタグから食品情報を収集して庫内食品情報を作成して第2の記憶手段に記憶し、前記通信手段で前記貯蔵装置と無線通信を行い、前記庫内食品情報を受信する請求項１または２に記載の携帯端末。
【請求項４】
携帯端末に備わる第１の送受信手段と、貯蔵装置に備わる第２の送受信手段との間で無線通信することで行われる食品管理方法であって、
前記第１の送受信手段から前記第２の送受信手段に要求信号を送信するステップと、
前記要求信号に対応して前記貯蔵装置に記憶されている食品情報を受信するステップと、前記貯蔵装置から受信された食品情報のうち削除または更新を実行するステップと、
前記更新を行った食品情報に基づいて前記携帯端末が記憶している食品情報に対して更新し更新食品情報を作成するステップと、
前記携帯端末から前記貯蔵装置に前記更新食品情報を送信するステップと、
からなる食品管理方法。
【請求項５】
携帯端末に備わる表示手段で食品情報を表示するステップを備えた請求項４に記載の食品管理方法。
【請求項６】
貯蔵装置のリーダライタ手段によって食品用ＲＦタグから食品情報を収集するステップと、
収集した食品情報から更新食品情報を作成し貯蔵装置の記憶手段に記憶するステップと、貯蔵装置と携帯端末の間で無線通信を行い、貯蔵装置の庫内食品情報を携帯端末に受信するステップを備える請求項４または５に記載の食品管理方法。
【請求項７】
請求項１から３のいずれか１項に記載の携帯端末の少なくとも一部をコンピュータに実現させるためのプログラム。
【発明の詳細な説明】
【技術分野】
【０００１】
本発明は、携帯端末と貯蔵装置間で食品情報を通信し管理する機能を備えた携帯端末、食品管理方法及びプログラムに関するものである。
【背景技術】
【０００２】
近年、ＲＦタグ（ＲＦＩＤ）を利用し食品にＲＦタグを貼付け、冷蔵庫にＲＦタグリーダを備えて食品管理を行うシステムが提案されている（例えば、特許文献１参照）。
【０００３】
食品に食品情報を記録したＲＦタグを貼付し、冷蔵庫が備えるＲＦタグリーダでＲＦタグの情報を読み取り、冷蔵庫のデータベースで庫内の食品の在庫管理を行うものである。また外出先の携帯情報端末から冷蔵庫のデータベースにアクセスし、在庫確認を行う。
【０００４】
また、非接触ＩＣカード機能を利用した情報管理システムが提案されている（例えば、特許文献２参照）。
【０００５】
特許文献１の情報管理システムでは、非接触ＩＣカード機能が付いた携帯端末は、商品を購入し決済すると、非接触ＩＣカードの機能により購入商品の情報を取得し記憶する。そして、記憶した商品情報は、通信機能を有した家電機器または端末機器へ送信され、購入商品の情報は端末装置において家計情報管理に利用される。また、家電機器において、品物管理に利用されるものである。
【０００６】
このように商品購入時の決済において購入商品の詳細情報を携帯端末に記憶し、前記情報を家計管理や品物管理に活用するものである。
【０００７】
また、スーパーやコンビニエンスストアで食品を購入した時、ＰＯＳデータを携帯端末に記憶し、前記ＰＯＳデータから食品を抽出したデータを携帯端末から冷蔵庫に対して無線送信して管理を行う食品管理システムが提案されている（例えば、特許文献３参照）。
【特許文献１】特開２００１−３１９０４３号公報
【特許文献２】特開２００７−２４１８４９号公報
【特許文献３】特開２００２−１０７０５２号公報
【発明の開示】
【発明が解決しようとする課題】
【０００８】
しかしながら、前記従来の構成では、冷蔵庫に備えるＲＦタグリーダが庫内に収容され、食品に貼付されたＲＦタグを読み出すが、食品の収容されている状態、ＲＦタグのアンテナの向き、庫内に収容された食品の量、庫内に収容された食品の包装袋や容器が金属で形成されているなどによって読み出しが不可能な場合がある。すなわち冷蔵庫に収容する食品の全てのＲＦタグが読み出せるとは限らないという問題がある。
【０００９】
またＩＣカード機能付き携帯端末の決済時に食品情報を読み出す場合、携帯端末で購入した食品しか携帯端末に情報を取得できないという問題もある。
【００１０】
加えて、購入した食品のＰＯＳデータを携帯端末に記憶し、携帯電話から無線通信によって冷蔵庫に対して抽出した食品データを無線送信して管理を行うシステムの場合、食品管理を行うのは冷蔵庫であり、冷蔵庫に保存されている食品しか管理できない。また携帯端末を外出して持ち出し、携帯端末で冷蔵庫に保存している食品、購入して家にある食品の情報を自宅の冷蔵庫と通信せずに確認することはできない。また冷蔵庫内の食品を外出
先から確認しようとすると、冷蔵庫に外部ネットワークと通信する手段を設ける必要があり、コスト的な課題があった。
【００１１】
本発明は、前記従来の課題を解決するもので、食品の在庫管理を行うシステムにおいて、冷蔵庫に貯蔵しない食品と、冷蔵庫に保存されている食品の在庫管理を分けて行い、冷蔵庫での食品在庫管理機能における管理品質を向上し、冷蔵庫に外部ネットワークとの通信手段を設けず安価に提供でき、またユーザに対しても利便性の高い在庫管理システムを提供することを目的とする。
【課題を解決するための手段】
【００１２】
前記従来の課題を解決するために、本発明の携帯端末は、貯蔵装置との間で無線通信を行う通信手段と、食品情報を記憶する記憶手段と、前記記憶手段に記憶された食品情報を記憶または更新する制御手段と、を備えた携帯端末を備え、前記通信手段が前記貯蔵装置から送信される食品情報を受信したとき、前記制御手段は前記貯蔵装置から受信した食品情報に基づいて前記記憶手段に記憶されている食品情報に対して更新して更新食品情報を作成し、前記携帯端末の通信手段は前記更新食品情報を前記貯蔵装置に送信するようにしている。
【００１３】
このようにすることで、ユーザが食品を消費し、また追加することで、貯蔵装置で管理する食品情報は更新され、携帯端末の通信手段によって貯蔵装置の更新された食品情報を受信し、前記食品情報に基づき制御手段によって更新食品情報が作成され記憶手段の内容が更新される。そして携帯端末の制御手段で更新された更新食品情報を通信手段によって貯蔵装置に送信し、携帯端末と貯蔵装置に記憶されている食品情報が同期する（同じになる）ようになり、食品管理の信頼性を向上し利便性が高まる。
【００１４】
そして、携帯端末で食品管理を行うので、携帯端末を外に持ち出せば、自宅の貯蔵装置と通信することなく、貯蔵装置の食品の管理情報を見ることができるので利便性が高まる。また、食品在庫を確認する為に通信を行う必要もないので、貯蔵装置に外部ネットワークとの通信手段を備えなくてもよくなり、貯蔵装置を安価に構築できるようになる。
【発明の効果】
【００１５】
本発明の携帯端末、食品管理方法及びプログラムを用いることにより、食品を管理する貯蔵装置をより安価に提供し、食品管理の品質と、ユーザに対しての利便性を向上する効果がある。
【発明を実施するための最良の形態】
【００１６】
第１の発明は、貯蔵装置との間で無線通信を行う通信手段と、食品情報を記憶する記憶手段と、前記記憶手段に記憶された食品情報を記憶または更新する制御手段と、を備えた携帯端末であって、前記通信手段が前記貯蔵装置から送信される食品情報を受信したとき、前記制御手段は前記貯蔵装置から受信した食品情報に基づいて前記記憶手段に記憶されている食品情報に対して更新して更新食品情報を作成し、前記通信手段は前記更新食品情報を前記貯蔵装置に送信する携帯端末を構成したものである。
【００１７】
そして、ユーザが食品を消費し、また追加することで、貯蔵装置で管理する食品情報は更新されるが、携帯端末の通信手段によって貯蔵装置の更新された食品情報を取得して、携帯端末に保持、管理する食品情報に対して管理情報を更新させるので、実際、貯蔵装置にある食品情報と同期できる（同じ情報に更新する）ので食品管理の品質が向上すると共に、利便性が向上する。
【００１８】
また、携帯端末で食品管理を行うので、携帯端末を外に持ち出せば、自宅の貯蔵装置と
通信することなく、貯蔵装置の食品の管理情報を見ることができるので利便性が高まる。また、食品在庫を確認する為に通信を行う必要もないので、貯蔵装置に外部ネットワークとの通信手段を備えなくてもよくなり、貯蔵装置を安価に構築できるようになる。
【００１９】
第２の発明は、特に第１の発明において表示手段を備え、表示手段に管理している食品情報を表示するものである。
【００２０】
そして、携帯端末の記憶手段で記憶する食品情報を、携帯端末の表示手段で確認できるので、携帯端末が持って行けるところであればどこでも食品情報を確認できるようになるので、より利便性が向上する。
【００２１】
第３の発明は、貯蔵装置は食品用ＲＦタグから食品情報を収集するリーダライタ手段と、食品情報を記憶する第２の記憶手段を備え、前記貯蔵装置は食品用ＲＦタグから食品情報を収集して庫内食品情報を作成して第2の記憶手段に記憶し、前記通信手段で前記貯蔵装置と無線通信を行い、前記庫内食品情報を受信する請求項１または２に記載の携帯端末を構成したものである。
【００２２】
そして、貯蔵装置にリーダライタ手段で、貯蔵装置内の食品情報を収集し、食品情報を適時更新することができる。前記更新した食品情報を、前記携帯端末の通信手段によって取得することで、携帯端末で管理する食品情報を貯蔵装置で管理する食品情報と同期する（同じにする）ことができるようになり、食品の消費や、食品の追加の変化に対応できるので、食品情報の管理品質と利便性が向上する。
【００２３】
第４の発明は、携帯端末に備わる第１の送受信手段と、貯蔵装置に備わる第２の送受信手段との間で無線通信することで行われる食品管理方法であって、前記第１の送受信手段から前記第２の送受信手段に要求信号を送信するステップと、前記要求信号に対応して前記貯蔵装置に記憶されている食品情報を受信するステップと、前記貯蔵装置から受信された食品情報のうち削除または更新を実行するステップと、前記更新を行った食品情報に基づいて前記携帯端末が記憶している食品情報に対して更新し更新食品情報を作成するステップと、前記携帯端末から前記貯蔵装置に前記更新食品情報を送信するステップとからなる食品管理方法である。
【００２４】
そして、ユーザが食品を消費し、また追加することで、貯蔵装置で管理する食品情報は更新されるが、携帯端末の通信手段によって貯蔵装置の更新された食品情報を取得して、携帯端末に保持、管理する食品情報に対して管理情報を更新させるので、実際、貯蔵装置にある食品情報と同期できる（同じ情報に更新する）ので食品管理の品質が向上すると共に、利便性が向上する。
【００２５】
また、携帯端末で食品管理を行うので、携帯端末を外に持ち出せば、自宅の貯蔵装置と通信することなく、貯蔵装置の食品の管理情報を見ることができるので利便性が高まる。また、食品在庫を確認する為に通信を行う必要もないので、貯蔵装置に外部ネットワークとの通信手段を備えなくてもよくなり、貯蔵装置を安価に構築できるようになる。
【００２６】
第５の発明は、前記携帯端末に備わる表示手段で食品情報を表示するステップを備えた請求項４に記載の食品管理方法である。
【００２７】
そして、携帯端末の記憶手段で記憶する食品情報を、携帯端末の表示手段で確認できるので、携帯端末が持って行けるところであればどこでも食品情報を確認できるようになるので、より利便性が向上する。
【００２８】
第６の発明は、前記貯蔵装置のリーダライタ手段によって食品用ＲＦタグから食品情報を収集するステップと、収集した食品情報から更新食品情報を作成し貯蔵装置の記憶手段に記憶するステップと、貯蔵装置と携帯端末の間で無線通信を行い、貯蔵装置の庫内食品情報を携帯端末に受信するステップを備える請求項４または５に記載の食品管理方法である。
【００２９】
そして、貯蔵装置にリーダライタ手段で、貯蔵装置内の食品情報を収集し、食品情報を適時更新することができる。前記更新した食品情報を、前記携帯端末の通信手段によって取得することで、携帯端末で管理する食品情報を貯蔵装置で管理する食品情報と同期する（同じにする）ことができるようになり、食品の消費や、食品の追加の変化に対応できるので、食品情報の管理品質と利便性が向上する。
【００３０】
第７の発明は、請求項１〜３のいずれか１項記載の携帯端末の少なくとも一部をコンピュータに実現させるためのプログラムである。
【００３１】
そして、プログラムであるので、電気・情報機器、コンピュータ、等のハードリソースを協働させて本発明の少なくとも一部を簡単なハードウェアで実現できる。また記録媒体に記録したり通信回線を用いてプログラムを配信したりすることでプログラムの配布・更新やそのインストール作業が簡単にできる。
【００３２】
以下、本発明の実施の形態について、図面を参照しながら説明する。なお、この実施の形態によって本発明が限定されるものではない。
【００３３】
（実施の形態１）
図１は本発明の実施の形態１における貯蔵装置（冷蔵庫）を説明する図である。図２は食品に貼付した食品用ＲＦタグと携帯端末（携帯電話）を示すブロック構成図である。図３は携帯端末（携帯電話）と貯蔵装置（冷蔵庫）を示すブロック構成図である。
【００３４】
図１〜図３を用いて本実施の形態１の構成を説明する。図１において、ユーザ１は携帯電話２を持ち、食品３に貼付した食品用ＲＦタグ４に携帯電話２を近接させて食品情報を読み取る。また冷蔵庫５には、表示装置６、ＲＦタグ７を備える。ＲＦタグ７は冷蔵庫５において食品情報を取得する為のインターフェイスとして備え、携帯電話２から食品情報を受信する。また受信した食品情報は、表示手段６で表示し貯蔵している食品に対し、食品名や、保存日時、消費期限などの情報を一覧で表示す。また冷蔵庫５はユーザ１の家８の中に設置され、日常的に利用されている。
【００３５】
図２において、食品に貼付する食品用ＲＦタグ４は、情報記憶手段１０、無線通信手段１１、アンテナ１２で構成される。情報記憶手段１０には、貼付された食品の食品情報が記憶されている。具体的には、食品の名称、産地、製造年月日、賞味期限、消費期限、また加工食品の場合は、原料である食品の名称、産地などである。またアレルギーを引き起こす食品が含まれる場合、その情報も書き込まれる。食品を摂取した時の摂取カロリーなども書き込まれる。
【００３６】
食品に貼付した食品用ＲＦタグ４は、携帯電話２の第１のリーダライタ手段１４のアンテナ１３から交流磁界が放射されることで、アンテナ１２に誘導電流を流す（詳細は後述する）。アンテナ１２はループアンテナで形成されている。本実施の形態では、１３．５６ＭＨｚ（ＨＦ帯）の周波数を使用している。この周波数は、交通系のＩＣカードや電子マネーに利用されている。
【００３７】
また、図２において携帯電話２は、アンテナ１３、第１のリーダライタ手段１４、制御
手段１５、第１の記憶手段１６、操作手段１７、表示手段１８で構成される。食品のＲＦタグ情報を読み出す時、携帯電話２の第１のリーダライタ手段１４は、アンテナ１３から交流磁界を放射する。アンテナ１３は磁界エネルギーを供給しやすいループアンテナで構成される。
【００３８】
アンテナ１３より放射した交流磁界によって食品用ＲＦタグ４のアンテナ１２を磁束が貫き誘導電流が流れ、磁界で供給されるエネルギーによって起動する。そして携帯電話２の制御手段１５は、食品用ＲＦタグ４の食品情報を読み出す為の制御コマンド（制御電文）を送信し、食品用ＲＦタグ４から無線で応答された食品情報を受信して、第１の記憶手段１６に記録する。第１の記憶手段１６には、読み込んだ複数の食品情報が記録され、携帯電話２の操作手段１７を操作して、記録した情報を表示手段１８で閲覧できる。この機能により、購入した食品情報を携帯電話２でいつでも閲覧可能としている。
【００３９】
図３において、冷蔵庫５はアンテナ１９、通信手段２０、第２の制御手段２１、第２の記憶手段２２、表示手段２３、第２のリーダライタ手段２４、アンテナ２５で構成されている。冷蔵庫５には、携帯電話２と通信する機能以外の冷蔵庫としての機能も備えるが、本実施の形態では図示しない。
【００４０】
冷蔵庫５には、１３．５６ＭＨｚ帯を使用したＮＦＣ（Ｎｅａｒ  Ｆｉｅｌｄ  Ｃｏｍｍｕｎｉｃａｔｉｏｎ、以下ＮＦＣと呼ぶ）と呼ばれる通信規格を利用したＩＣチップを搭載している。ＮＦＣ対応のＩＣチップは、情報を記録したＲＦタグの機能、タグ情報を読み出すリーダライタ機能、またＮＦＣ対応ＩＣ同士で通信するピアトゥピア機能を備える。
【００４１】
ＮＦＣ対応ＩＣチップは、冷蔵庫５の通信手段２０、第２のリーダライタ手段２４を構成している。また、通信手段２０、第２のリーダライタ手段２４は冷蔵庫５の第２の制御手段２１に接続され、第２の制御手段２１によって１３．５６ＭＨｚの交流磁界を利用した無線通信を制御する。通信手段２０はＲＦタグ機能を提供し、リーダライタ機能を備える携帯電話２によって放射される交流磁界で通信する。
【００４２】
冷蔵庫５の通信手段２０は、携帯電話２から食品情報を受け取るインターフェイスとして形成され、冷蔵庫５のドア外側に設けたアンテナ１９を介して通信手段２０で受信し、第２の制御手段２１で食品情報を判断して、冷蔵庫の第２の記憶手段２２に食品情報を記録する。
【００４３】
アンテナ１９はループアンテナで構成され、携帯電話２のアンテナ１３から放射する交流磁界によって誘導電流を流し、通信を行う。第２の記憶手段２２は、携帯電話２に備える第１の記憶手段１６と同様に食品情報を管理し、そして冷蔵庫５に保存される食品情報を、表示手段２３に表示し、ユーザ１に確認させる。冷蔵庫５の第２の記憶手段２２は、冷蔵庫５で管理する食品情報を記録し、携帯電話２の第１の記憶手段１６はユーザ１が管理したい食品情報（冷蔵庫で管理しない食品なども含む）が記録されている。携帯電話２及び冷蔵庫５は、双方で食品を管理しており、食品管理情報を確認する場所、その目的に応じて利用され、食品管理機能を相互に補完する。
【００４４】
また定期的なタイミングや、食品を冷蔵庫５に入れたタイミングなどに、冷蔵庫５の第２のリーダライタ手段２４によって冷蔵庫５内に設けたアンテナ２５から交流磁界が放射され、冷蔵庫５内に保管される食品の食品用ＲＦタグ４の食品情報が読み出され、第２の記憶手段２２に記録している情報を更新する。これによって、食品が使用され消費された場合や、携帯電話２を使用して食品情報を冷蔵庫５に対して転送し忘れた場合においても、正確な食品情報を管理する。
【００４５】
次に、携帯電話２で食品情報を取得し冷蔵庫で食品情報管理を行う動作、作用について図４、図５を用いて説明する。図４は、携帯電話２の第１のリーダライタ手段１４によって食品の食品用ＲＦタグ４の情報を取得し、冷蔵庫５へ食品情報を転送する動作を示すフローチャートである。また図５は、図４で示す動作の携帯電話と冷蔵庫間の通信を示すシーケンスチャートである。
【００４６】
ユーザ１は、スーパーなどで食品用ＲＦタグ４が貼付した食品３を購入して家８に帰宅すると、携帯電話２のリーダライタ機能を使用して、個々の食品に対して一つずつ、１０ｃｍ程度以下に近接させて、食品３の食品情報を食品用ＲＦタグ４から読み出す（Ｓ１０１）。
【００４７】
冷蔵庫５に保存する食品の情報をすべて取得し、携帯電話２の第１の記憶手段１６に取得した食品情報が記録される（Ｓ１０２、Ｓ１０３、Ｓ２０１）。
【００４８】
携帯電話２に保存された食品情報は、携帯電話２によって取得した新たに追加する食品情報が追加されている。この時、新たに取得した食品情報には、未同期フラグを付与して、記録されている。未同期フラグは、冷蔵庫５にまだ当該食品情報を送信していないことを示すフラグである。この時、携帯電話で保存している食品情報を、追加食品情報と呼ぶことにする（以下、追加食品情報）。
【００４９】
ユーザ１は、食品情報を携帯電話２で読み取ると、前記追加食品情報を冷蔵庫５に転送する為、携帯電話２を冷蔵庫５のＲＦタグ７（通信手段２０、アンテナ１９）に近接させ、携帯電話２の第１のリーダライタ手段１４から送出される交流磁界のエネルギーにより、磁界結合し、携帯電話２と冷蔵庫５の間でとの間で情報通信を行う。そして、携帯電話２の第１のリーダライタ手段１４から、冷蔵庫５で保持する食品情報を読み出す為の制御信号（要求信号）であるＲＥＡＤコマンドを送信する（Ｓ１０４、２０２）。
【００５０】
なお、ＲＥＡＤコマンドや後述するＷＲＩＴＥコマンドは、携帯端末２の第１のリーダライタ手段１４から冷蔵庫５の通信手段２０に対して送信する要求信号である。ＲＥＡＤコマンドは、冷蔵庫５の庫内食品情報を読み出し、携帯電話２に取得する要求信号であり、ＷＲＩＴＥコマンドは、携帯電話２の更新食品情報を冷蔵庫５へ送信し、書き込みを行う要求信号である。
【００５１】
ＲＥＡＤコマンドを受信した冷蔵庫５の通信手段２０は、第２の制御手段２１でコマンドを判断し、ＲＥＡＤコマンドであると判断すると、第２の記憶手段２２に記憶されている食品情報（この食品情報を庫内食品情報と呼ぶ、以下庫内食品情報）を読み出す。そして応答信号に前記庫内食品情報を乗せて電文を生成し、通信手段２０で負荷変調した無線信号を、携帯電話２の第１のリーダライタ手段１４で受信させる（Ｓ１０５、Ｓ２０３）。
【００５２】
そして受信した応答信号は第１のリーダライタ手段１４で復調され、制御手段１５によって前記庫内食品情報を取り出す。この時取得する庫内食品情報は、冷蔵庫５で管理、更新された最新の庫内食品情報に基づき生成されている。
【００５３】
通信される庫内食品情報は、前回、携帯電話２と冷蔵庫５で無線通信を行った時から、追加された食品情報や、削除された食品情報が通信され、管理する食品情報の全てを送受信することに比べて通信量を削減している。
【００５４】
庫内食品情報には、前述したように追加、または削除したことなどの変化が分かるよう
に、追加フラグ、または削除フラグが各食品情報に付与されており、前記庫内食品情報を取得した携帯電話２の制御手段１５によって、食品に付した食品ＩＤと追加フラグ、または削除フラグを判断し、第１の記憶手段１６に記憶する携帯電話２で管理する最新の食品情報に対して、情報の更新または削除を行い、管理する食品情報を更新する。この時、追加食品情報も前記食品情報に追加される。そして、冷蔵庫５に送信すべき最新の食品情報である更新食品情報（追加食品情報＋庫内食品情報を追加、削除した食品情報）を生成、第１の記憶手段１６に記憶する（Ｓ１０６、Ｓ２０４）。
【００５５】
そして、携帯電話２の第１のリーダライタ手段１４は、アンテナ１３から交流磁界を送出して冷蔵庫５のＲＦタグ７と磁界結合し再度、情報通信を行う。携帯電話２の第１のリーダライタ手段１４から、冷蔵庫５の第２の記憶手段２２に保持する食品情報を更新する為、制御信号（要求信号）であるＷＲＩＴＥコマンドを送信する。ＷＲＩＴＥコマンドには、更新食品情報を乗せて送信される（Ｓ２０５）。
【００５６】
ＷＲＩＴＥコマンドを受信した通信手段２０は、第２の制御手段２１によって受信電文から更新食品情報を取り出し、第２の記憶手段２２に記憶されている食品情報を更新、記憶する。そして、ユーザ１は、携帯電話２を使って食品情報を取得した食品３を冷蔵庫５に格納して保存する。送信される更新食品情報は、通信情報量を減らす為、未同期フラグを付した食品情報に関して送信される。冷蔵庫５へ送信され、第２の記憶手段２２に保存されると、未同期フラグはクリアされる（Ｓ１０７、Ｓ２０６）。
【００５７】
そして、冷蔵庫５の通信手段２０は、第２の制御手段２１で生成した応答信号をアンテナ１９から返信する（Ｓ２０７）。
【００５８】
前記応答信号は、第１のリーダライタ手段１４で受信され復調され、制御手段１５で電文を解析し、更新成功の応答であると、冷蔵庫５と携帯電話２との間で、新しい食品情報に更新、同期できたと判断する（Ｓ１０８、Ｓ２０８）。
【００５９】
なお、この時、ＷＲＩＴＥコマンドで送信する更新食品情報は、追加された食品だけでなく、生成した更新食品情報全部であっても構わない。
【００６０】
このように、ユーザ１が食品管理を冷蔵庫５で行う時、携帯電話２の第１のリーダライタ手段１４によって食品の食品用ＲＦタグ４から食品情報を読み取り、携帯電話２の第１の記憶手段１６に記録、保存しまとめて冷蔵庫５のＲＦタグ７に送信、書き込むようにすることで、ユーザ１が管理したい食品を、携帯電話２で管理できるようになり、また一品一品、ユーザ１が自分で確実に読み取って冷蔵庫５へ転送するので、冷蔵庫５内の通信状態によって食品情報の読み出しエラーになって発生する食品管理漏れの心配もなく確実に在庫管理できるようにしている。また冷蔵庫５の第２の記憶手段２２に管理する食品情報を、無線通信によって冷蔵庫５から取得し、携帯電話２の第１の記憶手段１６に管理する食品情報に対し更新するので、互いの食品情報を同期する（同じにする）ことができ、携帯電話２において冷蔵庫５に保存されている正確な食品情報を管理できるようになり利便性が高まる。
【００６１】
さらに携帯電話２には、冷蔵庫５で保存しない食品も管理することができるので、食品管理機能を補完すると共に、利便性が向上する。
【００６２】
また食品情報は、携帯電話２の第１の記憶手段１６と、冷蔵庫５の第２の記憶手段２２の両方で管理されており、携帯電話２は外出時にも持ち出せるので、自宅の冷蔵庫５と通信することなく冷蔵庫５の食品情報を確認できるので、通信時間もコストもかからず利便性が高まる。
【００６３】
また、冷蔵庫５に外部ネットワークと通信する機能を設ける必要がないので、食品管理する機能を備えた冷蔵庫５をより安価に構築できるようになる。
【００６４】
また、携帯電話2の表示手段１８に冷蔵庫５で管理する食品情報を表示するので、ユーザ１は冷蔵庫５を開けることなく、またどこに居ても、冷蔵庫５に保存されている食品を確認できるのでより利便性が高まる。
【００６５】
また、冷蔵庫５の内部にも第２のリーダライタ手段２４を備えることで、冷蔵庫５から食品を取り出して使用した場合や、追加した場合など、最新の冷蔵庫５の食品情報を、冷蔵庫５と携帯電話２の簡易な無線通信によって更新できるので、冷蔵庫５内の食品管理情報がより正確になり、より利便性が高まる。
【００６６】
なお、実施の形態では、周波数帯１３．５６ＭＨｚの電磁結合方式で通信を行うＲＦタグを貼付した食品管理する冷蔵庫を説明したが、前記周波数帯、方式に限定されるものではなく、他の周波数帯１３５ｋＨｚ、４００ＭＨｚ帯、ＵＨＦ帯、２．４ＧＨｚ帯などのいずれの周波数帯でもよく、また通信方式も電磁誘導式でなく電波方式であっても同様な冷蔵庫を構成できると共に同様の効果がある。電波方式の場合、ＲＦタグのアンテナはダイポールアンテナなどを利用するとよい。
【００６７】
また１３．５６ＭＨｚのＮＦＣ規格のＩＣチップを搭載した冷蔵庫として説明したが、ＲＦタグとリーダライタ装置を別々に備えた冷蔵庫であってもよく、ＮＦＣ対応のＩＣチップを搭載しなくてもよい。
【００６８】
また、本実施の形態では、食品３に食品用ＲＦタグ４が貼付してあると説明したが、食品用ＲＦタグ４を食品３に貼付するのはユーザ１でもよく、食品情報をパソコンや携帯電話などから食品用ＲＦタグ４に書き込み、自ら食品３に貼り付けて管理してもよい。
【００６９】
また、携帯電話２食品情報を管理する第１の記憶手段１６を備えているが、携帯電話２の第１の記憶手段１６は、冷蔵庫５管理されている食品情報以外の食品情報（冷蔵庫５で管理しない食品の情報）も含めて管理するようにしてもよい。また携帯電話２に備える第１の記憶手段１６は、複数であっても構わない。また冷蔵庫５と携帯電話２の管理する食品情報の同期機能は、冷蔵庫５で管理する食品情報を同期するものである。携帯電話２でのみ管理する食品情報において、消費してなくなった場合は携帯電話２を操作し当該食品情報を削除する。
【００７０】
また、携帯電話２から冷蔵庫５のＲＦタグ７に対して食品情報を書き込むときに、双方の記憶手段の食品情報を同期すると説明したが、同期するタイミングは任意のタイミングでも実現可能である。携帯電話２を操作し、同期モードに設定し、冷蔵庫５のＲＦタグ７に近づけて通信すれば、管理情報を同期する。
【００７１】
また冷蔵庫５と携帯電話２の間の通信する食品情報は、更新された差分情報を用いて説明したが、記憶手段に保持する食品情報を全て通信するようにしてもよい。
【００７２】
また、貯蔵装置として冷蔵庫5を用いて説明したが、冷蔵庫でなくてもよく、キッチンのキャビネットや、食品を管理棚であってもよい。
【００７３】
また携帯端末は携帯電話２を用いて説明したが、携帯できる通信端末であればよく、ＰＤＡ、ゲーム機のコントローラ、専用通信端末などであってもよい。
【００７４】
また、本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバー等のハードリソースを協働させるプログラムの形態で実施してもよい。プログラムの形態であれば、磁気メディアや光メディアなどの記録媒体に記録したり、インターネットなどの通信回線を用いて配信することで新しい機能の配布・更新やそのインストール作業が簡単にできる。
【産業上の利用可能性】
【００７５】
本発明にかかる携帯端末、食品管理方法及びプログラムは、食品の管理を行う家庭用、業務用の貯蔵品の管理システムに利用できる。また食品以外の物品を管理する物品管理システムにも応用可能である。
【図面の簡単な説明】
【００７６】
【図１】本発明の実施の形態１における食品管理機能を提供する携帯電話、冷蔵庫を示す構成図
【図２】本発明の実施の形態１における食品用ＲＦタグと携帯電話を示すブロック図
【図３】本発明の実施の形態１における携帯電話と冷蔵庫を示すブロック図
【図４】本発明の実施の形態１における冷蔵庫と携帯電話の動作を示すフローチャート
【図５】本発明の実施の形態１における冷蔵庫と携帯電話の通信シーケンス図
【符号の説明】
【００７７】
２  携帯電話（携帯端末）
３  食品
４  食品用ＲＦタグ
５  冷蔵庫（貯蔵装置）
１４  第１のリーダライタ手段（通信手段、第１の送受信手段）
１５  制御手段
１６  第１の記憶手段（記憶手段）
１８  表示手段
２０  通信手段（第２の送受信手段）
２２  第２の記憶手段
２４  第２のリーダライタ手段（リーダライタ手段）
【図２】
2009258947.tif 000003
【図３】
2009258947.tif 000004
【図４】
2009258947.tif 000005
【図５】
2009258947.tif 000006
【図１】
2009258947.tif 000007